(57)【要約】【課題】印刷媒体の両面を同時に被覆する。【解決手段】印刷媒体被覆装置（１０）は、第１のウェブ供給部（１６）と、第１のウェブ巻き取り部（１８）と、第２のウェブ供給部（１２）と、第２のウェブ巻き取り部（１４）と、通過する媒体通路（４４）を画定する融着器（２２）とを備え、前記第１のウェブ供給部および前記第１のウェブ巻き取り部は、媒体通路の一方の側に配置され、第２のウェブ供給部および第２のウェブ巻き取り部は、媒体通路の他方の側に配置される。また、前記媒体通路に沿って融着器を通って走行する第１、第２の被覆材料ウェブ（２４，２０）を備える【選択図】図１
2004142942.tif 000002
【特許請求の範囲】
【請求項１】
　印刷媒体を被覆するための装置であって、
　第１のウェブ供給部と、
　第１のウェブ巻き取り部と、
　第２のウェブ供給部と、
　第２のウェブ巻き取り部と、
　通過する媒体通路を画定する融着器とを備え、
　前記第１のウェブ供給部および第１のウェブ巻き取り部は、前記媒体通路の一方の側に配置され、前記第２のウェブ供給部および前記第２のウェブ巻き取り部は、前記第１のウェブ供給部および前記第１のウェブ巻き取り部とは反対側にある前記媒体通路の他方の側に配置されるとともに、さらに
　前記媒体通路に沿って前記融着器を通って、前記第１のウェブ供給部から前記第１のウェブ巻き取り部まで走行する第１の被覆材料ウェブと、
　前記媒体通路に沿って前記融着器を通って、前記第２のウェブ供給部から前記第２のウェブ巻き取り部まで走行する第２の被覆材料ウェブとを備えることを特徴とする印刷媒体被覆装置。
【請求項２】
　印刷媒体を被覆するための装置であって、
　フレームと、
　媒体通路の第１の側に近接して前記フレームによって回転可能に支持された第１のウェブ供給スプールと、
　前記第１の供給スプールから始まり、第１のウェブ巻き取りスプールで終わる第１のウェブ通路に沿って、前記第１のウェブ供給スプールから下流側に前記媒体通路の前記第１の側に近接して前記フレームによって回転可能に支持された第１のウェブ巻き取りスプールと、
　前記第１の側とは反対側にある媒体通路の第２の側に近接して前記フレームによって回転可能に支持された第２のウェブ供給スプールと、
　該第２の供給スプールから始まり、第２のウェブ巻き取りスプールで終わる第２のウェブ通路に沿って前記第２のウェブ供給スプールから下流側に前記媒体通路（４４）の前記第２の側に近接して前記フレームによって回転可能に支持された第２のウェブ巻き取りスプールと、
　前記媒体通路、前記第１の供給スプールと前記第１の巻き取りスプールとの間の前記第１のウェブ通路、および前記第２の供給スプールと前記第２の巻き取りスプールとの間の前記第２のウェブ通路に沿って配置された、前記フレームによって支持される融着器と、
　前記第１のウェブ巻き取りスプールおよび前記第２のウェブ巻き取りスプールを駆動するように連結されるモータとを備え、
　前記媒体通路、前記第１のウェブ通路、および前記第２のウェブ通路は、前記融着器を通って互いに符合していることを特徴とする印刷媒体被覆装置。
【請求項３】
　前記ウェブ供給スプールのそれぞれから、前記ウェブ通路の各々に沿って、対応する前記ウェブ巻き取りスプールまで走行する被覆材料ウェブをさらに備え、
　該被覆材料ウェブの各々は、被覆材料の層を含む、前記融着器から上流側の第１の部分と、実質的にすべての前記被覆材料が除去された前記融着器（２２）から下流側の第２の使用済み部分とを有することを特徴とする請求項２に記載の装置。
【請求項４】
　前記融着器から下流側に前記媒体通路に沿って配置され、前記第１のウェブ通路内に突出する、前記フレームによって支持された第１の剥離棒と、
　前記融着器から下流側に前記媒体通路に沿って配置され、前記第２のウェブ通路内に突出する、前記フレームによって支持された第２の剥離棒とをさらに備え、
　前記媒体通路、前記第１のウェブ通路、および前記第２のウェブ通路は、前記融着器から前記第１、第２の剥離棒の少なくとも１つまで、互いに符合していることを特徴とする請求項２に記載の装置。
【請求項５】
　印刷媒体被覆装置であって、
　媒体通路の第１の側に近接した第１の回転可能なウェブ供給スプールと、
　該第１のウェブ供給スプールで始まり、第１の回転可能なウェブ巻き取りスプールで終わる第１のウェブ通路に沿って前記第１のウェブ供給スプールから下流側で前記媒体通路の前記第１の側に近接した第１の回転可能なウェブ巻き取りスプールと、
　前記第１の側とは反対側にある前記媒体通路の第２の側に近接した第２の回転可能なウェブ供給スプールと、
　該第２のウェブ供給スプールで始まり、第２の回転可能なウェブ巻き取りスプールで終わる第２のウェブ通路に沿って前記第２のウェブ供給スプールから下流側で前記媒体通路の前記第２の側に近接した第２の回転可能なウェブ巻き取りスプールと、
　前記第１の供給スプールと前記第１の巻き取りスプールとの間の前記第１のウェブ通路および前記第２の供給スプールと前記第２の巻き取りスプールとの間の前記第２のウェブ通路に沿った融着器であって、互いに係合可能で、融着器ニップを形成する第１および第２のローラを備え、前記融着器ニップは、該融着器を通過する前記媒体通路を画定する融着器と、
　前記第１のウェブ巻き取りスプール、前記第２のウェブ巻き取りスプール、および前記融着ローラの少なくとも１つを駆動するように連結される単一のモータとを備え、
　前記媒体通路、前記第１のウェブ通路、および前記第２のウェブ通路は、前記融着器を通して互いに符合していることを特徴とする印刷媒体被覆装置。
【請求項６】
　前記モータを駆動するように直接連結される主要駆動ギアと、
　該主要駆動ギアと同軸上に搭載された中央駆動ギアと、
　前記主要駆動ギアと係合する第１のウェブ巻き取りスペーサギアと、
　該第１のウェブ巻き取りスペーサギアと係合する、前記第１のウェブ巻き取りスプールに連結された第１のウェブ巻き取りギアと、
　前記第２のウェブ巻き取りスプールに連結された第２のウェブ巻き取りギアと、
　互いに係合する第１および第２の反転スペーサギアであって、該第１の反転スペーサギアは前記主要駆動ギアと係合し、該第２の反転スペーサギアは前記第２のウェブ巻き取りギアと係合する第１および第２のスペーサギアと、
　前記中央駆動ギアと係合する、前記第１の融着ローラと連結された第１の融着ギアと、
　前記中央駆動ギアと係合する融着スペーサギアと、
　該融着スペーサギアと係合する、前記第２の融着ローラと連結された第２の融着ギアとをさらに備えることを特徴とする請求項５に記載の装置。
【請求項７】
　印刷媒体を被覆するための装置であって、
　媒体通路の第１の側に近接した第１のウェブ搬送システムと、
　前記第１の側とは反対側にある前記媒体通路の第２の側に近接した第２のウェブ搬送システムと、
　前記第１のウェブ搬送システムと前記第２のウェブ搬送システムとの間で前記媒体通路に沿って動作する融着器と、
　を備える印刷媒体被覆装置。
【請求項８】
　印刷媒体に被覆を施すための方法であって、
　前記印刷媒体の一方の側に被覆を施す工程と、
　前記印刷媒体の他方の側に被覆を同時に施す工程とを含む印刷媒体被覆方法。
【請求項９】
　印刷媒体に被覆を施す方法であって、
　被覆材料の２つの層の間に前記印刷媒体を挟む工程と、
　前記印刷媒体に前記被覆材料を融着させる工程とを含む印刷媒体被覆方法。
【請求項１０】
　印刷媒体に被覆を施すための方法であって、
　それぞれが被覆材料と該被覆材料を担持する担体とを有する第１および第２の被覆材料ウェブを提供する工程と、
　前記印刷媒体を前記第１および第２の被覆材料ウェブの間に挟む工程と、
　前記印刷媒体に前記被覆材料を融着させる工程と、
　前記第１の被覆材料ウェブ上の前記被覆材料から前記担体を剥離し、前記第２の被覆材料ウェブ上の前記被覆材料から前記担体を剥離する工程とを含む印刷媒体被覆方法。
【発明の詳細な説明】
【技術分野】
【０００１】
　本発明は、印刷媒体の両面に被覆を施すための装置および方法に関する。
【背景技術】
【０００２】
　印刷された媒体に透明な可撓性材料の膜を被覆することが望まれる場合がある。このような被膜を、調合し、塗布して印刷された画像を保護し、印刷された画像を向上させ、（印刷された領域および印刷されていない領域の両方を含む）媒体全体にわたってより均一な光沢レベルを提供するか、または印刷された領域における色域を広げるのに役立つようにすることができる。紙シートまたは他の印刷媒体の両面に印刷された画像が施される両面印刷は、現在、かなり一般的である。多くのプリンタ、複写機、多機能周辺機器、および他の印刷装置は、両面印刷を提供する。（両面印刷の場合のように）シートの両面に被覆が所望される場合、シートは、一度は、シートの頂（上）面に被覆を施すため、もう一度は、シートの底面に被覆を施すために、印刷後の仕上げ装置の被覆モジュールを二度通過しなければならない。
【発明の開示】
【発明が解決しようとする課題】
【０００３】
　本発明の目的は一度の通過で印刷媒体の両面を同時に被覆できる印刷媒体被覆装置と印刷媒体被覆方法とを提供することにある。
【課題を解決するための手段】
【０００４】
　本発明の様々な実施形態は、印刷媒体の２つの面に被覆を施すための従来の技法を改善するために開発された。したがって、本発明の一実施形態は、第１および第２のウェブ供給部と、第１および第２のウェブ巻き取り部と、融着器を通過する印刷媒体通路を画定するための融着器を含む印刷媒体被覆装置とに関する。第１のウェブ供給部および第１のウェブ巻き取り部は、媒体通路の片側に位置し、第２のウェブ供給部および第２のウェブ巻き取り部は、第１のウェブ供給部および第１のウェブ巻き取り部とは反対側にある媒体通路の他方の側に位置する。第１の被覆材料ウェブは、融着器を通る媒体通路に沿って、第１のウェブ供給部から第１のウェブ巻き取り部まで走行し、第２の被覆材料ウェブは、融着器を通る媒体通路に沿って、第２のウェブ供給部から第２の巻き取り部まで走行する。
【０００５】
　本発明の別の実施形態は、２層の被覆材料の間に印刷媒体を挟み、次に、被覆材料を印刷媒体に融着させることを含む、印刷媒体に被覆を施すための方法に関する。
【発明の効果】
【０００６】
　被覆装置を１回通過させて印刷媒体の２つの面に被覆を施すことは、２回通過させる装置と比べて、被覆時間を低減させ、媒体の両面により一定した光沢レベルを維持するのに役立つ。記載される実施形態のいくつかはまた、被覆装置を２回通過できない連続したロール型印刷媒体の両面にも被覆を施すことができる。
【発明を実施するための最良の形態】
【０００７】
　図１は、本発明の一実施形態による印刷媒体シートの両面に同時に被覆を施すための装置を例示する。図１を参照すると、被覆装置１０は、第１／上部の被覆材料ウェブ供給部およびウェブ巻き取りスプール１２および１４、ならびに第２／下部の被覆材料供給部および巻き取りスプール１６および１８を有する。第１／上部の被覆材料ウェブ２０は、上部供給スプール１２から融着器２２を通って上部巻き取りスプール１４まで走行する。第２／下部の被覆材料ウェブ２４は、下部ウェブ供給スプール１６から融着器２２を通って下部ウェブ巻き取りスプール１８まで走行する。ウェブ２０および２４は、一般に、紙および他のタイプの印刷媒体とともに用いるのに適した被覆フィルムを担持する任意のウェブを示す。図２は、被覆装置１０において用いるのに適した典型的なウェブを例示する断面図である。図２を参照すると、ウェブ２０／２４は、接着材料の層２６、接着層２６上の被覆材料の層２８、担体３０すなわち裏打ち（ときどきこう呼ばれるように）、ならびに担体３０と被覆材料２８との間に介在する解放層３２を有する。適当なウェブとしては、たとえば、「有孔媒体に印刷され熱転写オーバーコートで被覆された画像（Images Printed On Porous Media And Coated With A Thermal Transfer Overcoat）」という名称の２００２年６月１１日に出願され本願出願人に譲渡された米国特許出願第１０／１６７，８９１号の明細書に記載されている透明な可撓性のフィルムウェブが挙げられる。
【０００８】
　融着器２２は、通常、ウェブ／媒体の積層体に熱もしくは圧力またはその両方を加えて被覆２８を紙または他の印刷媒体に結合させる任意の適切な装置を示す。図１に例示される実施形態では、融着器２２は、互いに回転して融着器ニップ４０を形成する一対の対向するローラ３４および３６を有する。レーザプリンタにおいて用いられるロール型定着器などの従来の定着器は、被覆装置１０において融着器２２として使用するように適応させることができる。図１に示され、図６にさらに詳細に示されるこのような融着器の１つの例では、ローラ３４は、加熱された融着ローラとして構築され、ローラ３６は、迎合（コンプライアント：compliant）加圧ローラとして構築されている。
【０００９】
　紙または他の印刷媒体４２の全幅にわたる被覆が所望されるとき、通常は、各ウェブ２０および２４ならびに対応する供給部および巻き取りスプールは、図６に最もよく示されるように、印刷媒体とほぼ同じ幅である。印刷媒体シート４２は、媒体通路４４に沿って融着器２２を通って移動する。上部ウェブ２０は、上部ウェブ供給スプール１２から融着器２２を通って第１／上部ウェブ通路４６に沿って上部ウェブ巻き取りスプール１４まで移動する。下部ウェブ２４は、下部ウェブ供給スプール１６から融着器２２を通って第２／下部ウェブ通路４８に沿って下部ウェブ巻き取りスプール１８まで移動する。印刷媒体通路４４ならびにウェブ通路４６および４８は、融着器ニップ４０に集束し、各ウェブからの被覆２８が印刷媒体シート４２の上部および下部に施される際に、融着器２２を通して互いに符合し、次に、使用済みのウェブ２０ａおよび２４ａのそれぞれが巻き取りスプール１４および１８に巻き取られる際に分岐する。ウェブ２０および２４ならびに媒体シート４２が融着器ニップ４０を通過する際にこれらに加えられる熱および圧力の組み合わせによって、接着層２６がシート４２に溶融して、被覆２８をシート４２の上部および下部に接着させ、解放層３２を軟化させる。スプール１４および１８上に巻き取られた使用済みのウェブ２０ａおよび２４ａは、担体３０および解放層３２の残物からなる。
【００１０】
　図３は、本発明の第２の実施形態によって構築された被覆装置１０を例示する。本実施形態では、ウェブ２０および２４ならびにシート４２は、融着器２２から下流側の冷却器５０を通って、冷却器５０から下流側の剥離棒５２および５４上を通過する。印刷媒体通路４４ならびにウェブ通路４６および４８は、融着器ニップ４０に集束し、融着器２２および冷却器５０を通って互いに符合し、次に、使用済みのウェブ２０ａおよび２４ａのそれぞれが巻き取りスプール１４および１８に巻き取られる際に、剥離棒５２および５４で分岐する。冷却器５０は、ウェブ２０および２４ならびにシート４２を冷却して、被覆層２８とシート４２との接着硬化を促進する。硬化を促進することによって、被覆２８とシート４２との接着は強化され、担体３０は、剥離棒５２および５４において被覆２８からよりきれいに分離されることが可能になる。
【００１１】
　図３の実施形態では、冷却器５０は、互いに回転して冷却器ニップ６０を形成する一対の対向するローラ５６および５８として構築される。冷却器５０は、ヒートシンクとして受動的に冷却し得る。この場合、冷却ローラ５６および５８は、熱伝導材料の比較的大きなマス（mass)として構築される。あるいは、一方または両方の冷却ローラ５６および５８は、冷却器５０が、ウェブ／シートの積層体が冷却された冷却ローラ５６および５８の間を通過する際に当該積層体を能動的に冷却するように、能動的に冷却される。
【００１２】
　冷却器５０の下流側では、各ウェブ２０および２４は、剥離棒５２および５４を通過する。各剥離棒５２および５４は、ウェブの幅を横断して延在し、ウェブの通路にわずかに突出する。各ウェブ通路４６および４８は、鋭い角度（好ましくは、６０度〜１３０度、最も好ましくは約９０度）で剥離棒５２および５４において媒体通路４４から分岐し、担体３０が被覆層２８からよりきれいに引き剥がされるようにする。
【００１３】
　図３の実施形態では、剥離棒５２および５４は、ウェブ／媒体通路にわたって互いに直接対向して位置合わせされない。１つの剥離棒が他の剥離棒から下流側に位置する図３に示される千鳥構成は、担体／被覆分離を改善させるのに役立つことが見出された。剥離棒が互いに直接対向して配置される代替構成では、各担体３０は、同時に、被覆層２８から剥離される。この代替構成のテスト中に、担体３０と被覆２８との間の接着が、担体３０が被覆２８から引き剥がされる際に各ウェブ２０および２４が媒体シート４２を引っ張ることが見出された。この引っ張りは、シート４２の各面において常に同じではない。一方の引っ張りが他方の引っ張りよりも強いと、弱い側の剥離棒に対する圧力が緩和される傾向がある。この圧力緩和により、弱い側における担体３０と被覆２８との間の分離が妨げられ、それにより、シート４２のこの弱い側に保持される被覆の品質が影響を受ける。したがって、剥離棒５２および５４の千鳥構成は、位置合わせされた構成よりも好ましい。
【００１４】
　図４ないし図７は、作用的にプリンタ６６に連結される印刷後の仕上げ装置６４に取り付けられたモジュラー被覆装置６２を例示する。図５は、被覆装置６２の拡大図であり、図６は、被覆装置６２の融着器／冷却器モジュール６８の詳細図である。図４ないし図７を参照すると、モジューラ被覆装置６２は、各シート４２の上部に被覆を施すための構成要素を有する上部モジュール６８、および各シート４２の下部に被覆を施すための構成要素を有する下部モジュール７０を有する。２つの印刷媒体通路は、印刷後の仕上げ装置６４を通して設けられている。被覆媒体通路４４は、被覆モジュール６８および７０を通って走行し、バイパス媒体通路４５は、被覆モジュール６８および７０を迂回している。両媒体通路４４および４５は、シート４２を（図７に示される）出力トレイ７２または他の下流側仕上げ工程に対して排出する。
【００１５】
　上部モジュール６８は、第１／上部の被覆材料ウェブ供給スプール１２、第１／上部のウェブ巻き取りスプール１４、ならびに第１／上部の融着器および冷却器ユニット７４を有する。下部モジュール７０は、第２／下部の被覆材料ウェブ供給スプール１６、第２／下部のウェブ巻き取りスプール１８、ならびに第２／下部の融着器および冷却器ユニット７６を有する。第１／上部の被覆材料ウェブ２０は、図５に示されるように、上部供給スプール１２から融着器および冷却ユニット７４を通って上部巻き取りスプール１４まで、アイドラーローラ７８および８０を周って走行する。第２／下部の被覆材料ウェブ２４は、下部ウェブ供給スプール１６から融着器および冷却器ユニット７６を通って下部ウェブ巻き取りスプール１８まで、アイドラーローラ８２および８４を周って走行する。上部供給および巻き取りスプール１２および１４、ならびに下部供給および巻き取りスプール１６および１８は、互いに重なって配置され、垂直方向にコンパクトな設計を成し遂げている。各融着器および冷却器ユニットでは被覆材料ウェブの走行に沿って融着器、冷却器の順で配置されている。
【００１６】
　出口駆動ローラ８６および係合するピンチローラ８８は、被覆装置６２から媒体シート４２を出力トレイ７２まで前進させる。上部被覆モジュール６８内のローラのそれぞれは、上部モジュールフレーム９０に搭載されるか、または上部モジュールフレーム９０に支持される。下部被覆モジュール７０内のローラのそれぞれは、下部モジュールフレーム９２に搭載されるか、または下部モジュールフレーム９２に支持される。図８は、上部モジュール６８の斜視図である。モジュール６８およびそれに対応する下部モジュール７０は、印刷後の仕上げ装置６４の内外に摺動し、モジュールの取り付け、修理、および交換を容易にするように構成されている。
【００１７】
　被覆装置６２の様々な構成要素は、構成要素をフレームに直接搭載するなどによってフレームに直接支持され得るか、または構成要素は、構成要素を支持構造体またはフレームに搭載された他の構成要素に搭載するなどによってフレームに間接的に支持され得る。構成要素を支持するフレームは、上部モジュールフレーム９０および下部モジュールフレーム９２におけるようなモジュールフレーム、全体的な被覆装置フレーム、または仕上げ装置の内外に摺動するモジュラーユニットで被覆装置が構築されていない場合のような印刷後の仕上げ装置フレームであり得る。
【００１８】
　図９は、モジュラー被覆装置６２の従動構成要素用の駆動列を例示する。図９に示される駆動列では、媒体通路４４ならびにウェブ通路４６および４８における主な構成要素はすべて、１つのモータによって駆動される。他の駆動列構成が可能であり、２つ以上のモータを、様々な構成要素を駆動するために用いることができる。図９を参照すると、主要駆動ステッパモータ９４は、主要駆動ギア９６を時計回りに駆動する。下部ウェブ巻き取りスプール１８に連結された下部ウェブ巻き取りギア９８は、スペーサギア１００を通して主要ギア９６から時計回りに駆動される。上部ウェブ巻き取りスプール１４に連結された上部ウェブ巻き取りギア１０２は、一対の反転スペーサギア１０４および１０６を通して主要ギア９６から反時計回りに駆動される。出口駆動ローラ８６に連結された出口駆動ギア１０８は、主要ギア９６から直接反時計回りに駆動される。
【００１９】
　主要ギア９６と同軸上で回転する中央駆動ギア１１０は、モータ９４の付勢で時計回りに駆動される。上部融着ローラ３４に連結された上部融着ローラギア１１２、および上部冷却ローラ５６に連結された上部冷却ローラギア１１４は、中央駆動ギア１１０から反時計回りに駆動される。下部融着ローラ３６に連結された下部融着ローラギア１１６、および下部冷却ローラ５８に連結された下部冷却ローラギア１１８は、中央スペーサギア１２０を通して、中央駆動ギア１１０から時計回りに駆動される。
【００２０】
　図示されていないが、図９に例示される駆動列はまた、可動部品間の適切な関係を維持するために必要であるかまたは望ましい場合に、いくつかの駆動要素間に介在するクラッチを含み得る。たとえば、電磁スリップクラッチは、上部および下部被覆ウェブ２０、２０ａおよび２４、２４ａへの張力を制御するのを助けるために、巻き取りギア９８および１０２に含まれなければならない。
【００２１】
　上記の例示的な実施形態を参照しながら本発明を示し記載したが、他の形状、詳細、および実施形態が、添付の特許請求の範囲において定義される本発明の趣旨および範囲を逸脱せずになされ得ることを理解されたい。
【産業上の利用可能性】
【００２２】
印刷装置や印刷装置に関連して用いられる仕上げ装置に実施して至便である。
【図面の簡単な説明】
【００２３】
【図１】本発明の一実施形態による印刷媒体シートの両面に同時に被覆を施すための装置を例示する図である。
【図２】被覆材料ウェブを例示する図である。
【図３】装置が冷却ローラおよび剥離棒を含む、本発明の一実施形態による印刷媒体シートの両面に同時に被覆を施すための装置を例示する図である。
【図４】印刷後の仕上げ装置に取り付けられた本発明の一実施形態によるモジュラー被覆装置を例示する図である。
【図５】図４に示される装置などの被覆装置をさらに詳細に例示する図である。
【図６】図４に示される装置などの被覆装置の融着器および冷却モジュールを例示する図である。
【図７】プリンタに取り付けられた印刷後の仕上げ装置に取り付けられた本発明の一実施形態によるモジュラー被覆装置を例示する図である。
【図８】本発明の一実施形態による上部／上部の被覆モジュールの斜視図である。
【図９】本発明の一実施形態によるモジュラー被覆装置の従動構成要素のための駆動列を例示する図である。
【符号の説明】
【００２４】
１０　印刷媒体被覆装置
１２、１６　ウェブ供給部
１４、１８　ウェブ巻き取り部
２０、２４　第２の被覆材料ウェブ
２２　融着器
４０　融着器ニップ
４２　印刷媒体
４４　媒体通路
５０　冷却器
５２，５４　剥離棒
９０、９２　フレーム
９４　モータ
【図１】
2004142942.tif 000003
【図２】
2004142942.tif 000004
【図３】
2004142942.tif 000005
【図４】
2004142942.tif 000006
【図５】
2004142942.tif 000007
【図６】
2004142942.tif 000008
【図７】
2004142942.tif 000009
【図８】
2004142942.tif 000010
【図９】
2004142942.tif 000011